(57)【要約】【課題】装着されたヘアドライヤを安定して保持できると共に、ヘアドライヤのハウジングを保持した状態でヘアドライヤの操作部の利用が可能なヘアドライヤ取付具及びヘアドライヤを提供する。【解決手段】ヘアドライヤ取付具１が、軸方向を上下にして洗面台の板部４３の前面に取り付けてある。ヘアドライヤ２のハウジングが、送気口を下向きにしてヘアドライヤ取付具１の上側から挿入された場合、ヘアドライヤ２のグリップがヘアドライヤ取付具１の上縁に当接する。ヘアドライヤ２のグリップは、ヘアドライヤ取付具１の上縁に設けられた凹部の底にて安定して支持され、その状態でヘアドライヤ２がヘアドライヤ取付具１に保持される。【選択図】図１
2014110852.tif 000002
【特許請求の範囲】
【請求項１】
一端に吸気口を設け、他端に送気口を設けた筒状のハウジングと、該ハウジングの外周面から外向きに突設された把持部とを備え、前記ハウジングの外周面で、前記把持部の突設部分に対して前記外周面の周方向の近傍に操作部が設けてあるヘアドライヤを壁面に取り付けるためのヘアドライヤ取付具であって、
軸方向を上下にして前記壁面に取り付けられ、前記吸気口及び前記送気口を上下にして前記ハウジングを保持する保持筒を備え、
該保持筒の上縁の一部に、前記ハウジングを保持した場合に前記把持部が当接する凹部が設けてあることを特徴とするヘアドライヤ取付具。
【請求項２】
前記凹部は、前記保持筒の上縁の中央よりも一端側の位置に底を有することを特徴とする請求項１に記載のヘアドライヤ取付具。
【請求項３】
一端に吸気口を設け、他端に送気口を設けた筒状のハウジングと、該ハウジングの外周面から外向きに突設された把持部とを備え、前記ハウジングの外周面で、前記把持部の突設部分に対して前記外周面の周方向の近傍に操作部が設けてあるヘアドライヤを壁面に取り付けるためのヘアドライヤ取付具であって、
長手方向を横向きにして前記壁面に取り付けられ、前記ハウジングを軸方向横向きに収納する直方体形状の収納筐を備え、
該収納筐は、
収納されたハウジングの前記送気口から送り出された空気を下向きに放出する放出口と、
内周面のうちで、前記放出口が対向する箇所に設けられ、前記送気口から送り出された空気を前記放出口へ導く湾曲面とを有することを特徴とするヘアドライヤ取付具。
【請求項４】
前記収納筐の前記放出口に対して前記長手方向の反対側の端部が蝶番で前記壁面に取り付けられていることを特徴とする請求項３に記載のヘアドライヤ取付具。
【請求項５】
一端に吸気口を設け、他端に送気口を設けた筒状のハウジングと、該ハウジングの外周面から外向きに突設された把持部とを備えるヘアドライヤにおいて、
前記ハウジングの外周面で、前記把持部の突設部分に対して前記外周面の周方向の近傍に操作部が設けてあることを特徴とするヘアドライヤ。
【発明の詳細な説明】
【技術分野】
【０００１】
本発明は、ヘアドライヤを壁面に取り付けるためのヘアドライヤ取付具及びヘアドライヤに関する。
【背景技術】
【０００２】
ヘアドライヤは、円筒状のハウジングの内部に送風機及びヒータを備える。ヘアドライヤは、ハウジングの内部を風路とし、一端の吸気口から吸入した空気を加熱し、他端の送気口から温風を送り出す。使用者は、ヘアドライヤからの温風を毛髪に当てることにより、毛髪を乾燥させることができる。
【０００３】
特許文献１では、ヘアドライヤからの温風をエアタオルとして利用するためのドライヤ置が提案されている。特許文献１に開示されたドライヤ置では、板状の受具に穴が設けてあり、穴にヘアドライヤのハウジングを差し込むことにより、送気口を下向きにしてヘアドライヤが支持されるようになっている。
【先行技術文献】
【特許文献】
【０００４】
【特許文献１】特開２００６−１１０２８６号公報
【発明の概要】
【発明が解決しようとする課題】
【０００５】
特許文献１に開示されたドライヤ置では、板状の受具にてヘアドライヤ（ハウジング）を支持するので、ヘアドライヤを安定して支持することが難しいという問題がある。
また、一般的なヘアドライヤは、ハウジングから把持部が突設されており、把持部には、ハウジングの送気口側の適宜箇所に操作スイッチが設けてある。このようなヘアドライヤを、特許文献１に開示されたドライヤ置の受具にて保持した場合、操作スイッチが、把持部にて受具に押し付けられる状態となる。このような状態では、ヘアドライヤの操作スイッチを利用することができないので、特許文献１で提案されているように、ヘアドライヤを作動させるためのセンサを設ける等の複雑な構造を採らざるを得ないという問題がある。
【０００６】
本発明は斯かる事情に鑑みてなされたものである。その目的とするところは、装着されたヘアドライヤを安定して保持できると共に、ヘアドライヤのハウジングを保持した状態でヘアドライヤの操作部の利用が可能であるヘアドライヤ取付具及びヘアドライヤを提供することにある。
【課題を解決するための手段】
【０００７】
本発明に係るヘアドライヤ取付具は、一端に吸気口を設け、他端に送気口を設けた筒状のハウジングと、該ハウジングの外周面から外向きに突設された把持部とを備え、前記ハウジングの外周面で、前記把持部の突設部分に対して前記外周面の周方向の近傍に操作部が設けてあるヘアドライヤを壁面に取り付けるためのヘアドライヤ取付具であって、軸方向を上下にして前記壁面に取り付けられ、前記吸気口及び前記送気口を上下にして前記ハウジングを保持する保持筒を備え、該保持筒の上縁の一部に、前記ハウジングを保持した場合に前記把持部が当接する凹部が設けてあることを特徴とする。
【０００８】
本発明に係るヘアドライヤ取付具は、前記凹部は、前記保持筒の上縁の中央よりも一端側の位置に底を有することを特徴とする。
【０００９】
本発明に係るヘアドライヤ取付具は、一端に吸気口を設け、他端に送気口を設けた筒状のハウジングと、該ハウジングの外周面から外向きに突設された把持部とを備え、前記ハウジングの外周面で、前記把持部の突設部分に対して前記外周面の周方向の近傍に操作部が設けてあるヘアドライヤを壁面に取り付けるためのヘアドライヤ取付具であって、長手方向を横向きにして前記壁面に取り付けられ、前記ハウジングを軸方向横向きに収納する直方体形状の収納筐を備え、該収納筐は、収納されたハウジングの前記送気口から送り出された空気を下向きに放出する放出口と、内周面のうちで、前記放出口が対向する箇所に設けられ、前記送気口から送り出された空気を前記放出口へ導く湾曲面とを有することを特徴とする。
【００１０】
本発明に係るヘアドライヤ取付具は、前記収納筐の前記放出口に対して前記長手方向の反対側の端部が蝶番で前記壁面に取り付けられていることを特徴とする。
【００１１】
本発明に係るヘアドライヤは、一端に吸気口を設け、他端に送気口を設けた筒状のハウジングと、該ハウジングの外周面から外向きに突設された把持部とを備えるヘアドライヤにおいて、前記ハウジングの外周面で、前記把持部の突設部分に対して前記外周面の周方向の近傍に操作部が設けてあることを特徴とする。
【発明の効果】
【００１２】
本発明によれば、装着されたヘアドライヤを安定して壁面に取り付けることができると共に、ヘアドライヤのハウジングを保持した状態でヘアドライヤの操作部が利用可能である。
【図面の簡単な説明】
【００１３】
【図１】実施形態１の洗面台の外観斜視図である。
【図２】ヘアドライヤの側面図である。
【図３】ヘアドライヤ取付具の外観斜視図である。
【図４】ヘアドライヤ取付具の正面図及び上面図である。
【図５】実施形態２の洗面台の外観斜視図である。
【図６】実施形態２のヘアドライヤ取付具の外観斜視図である。
【図７】実施形態２の洗面台の外観斜視図である。
【図８】実施形態２の洗面台の変形例の外観斜視図である。
【発明を実施するための形態】
【００１４】
以下に、本発明に係るヘアドライヤ取付具及びヘアドライヤを、その実施形態を示す図面に基づいて詳述する。
【００１５】
（実施形態１）
以下に、実施形態１の洗面台について説明する。図１は、実施形態１の洗面台の外観斜視図である。本実施形態１の洗面台には、床面から立ち上がる脚部４０の上面に、洗面ボウル４１及び洗面ボウル４１に水道水を吐出する蛇口４２が設けてある。また本実施形態１の洗面台は、洗面ボウル４１の開口面から上向きに延びる板部４３を備え、板部４３には鏡４４が取り付けてあり、鏡４４の一側の上側にはヘアドライヤ取付具１が設けてあり、下側には電源コンセント４５が設けてある。なお、洗面ボウル４１及び蛇口４２はどのような形状でもよい。
【００１６】
図２はヘアドライヤの側面図である。本実施形態１の洗面台のヘアドライヤ取付具１にて保持されるヘアドライヤ２は、円筒状のハウジング２０にグリップ（把持部）２１を設けた構成になっている。グリップ２１は、ハウジング２０の外周面の適宜箇所からハウジング２０の径方向外向きに突設されている。またグリップ２１の突設端には電源コード２１ａ（一部省略）が連結されており、ヘアドライヤ２は、電源コード２１ａを介して供給される電力によって動作する。
【００１７】
ハウジング２０の一端には吸気口２０ａが設けてあり、他端には送気口２０ｂが設けてある。ハウジング２０の内部には、ハウジング２０の長手方向に送風する送風機（図示せず）が配置されている。送風機が動作することによって、外部の空気が吸気口２０ａから吸入され、ハウジング２０内を長手方向に流れ、送気口２０ｂから排出される。送風機と送気口２０ｂとの間にヒータ（図示せず）が配置されており、ヒータはハウジング２０内の空気を加熱し、送気口２０ｂから送り出される風を温風にする。
【００１８】
ハウジング２０には、使用者がヘアドライヤ２を動作させるために操作するスイッチ（操作部）２２が設けてある。スイッチ２２は、例えば、ハウジング２０の外周面で、グリップ２１の突設部分に対してハウジング２０の周方向に近傍の適宜箇所に設けてある。スイッチ２２は、押下することによってオン・オフすることができる押しボタン式のスイッチであってもよく、スライドさせることによってオン・オフすることができるスライド式のスイッチであってもよい。また、ヘアドライヤ２を動作又は停止させるためのスイッチ２２のほかに、例えば、風量の切り替えを行うスイッチ、温風又は冷風の切り替えを行うスイッチが、グリップ２１に設けられていてもよい。
【００１９】
図３はヘアドライヤ取付具１の外観斜視図、図４はヘアドライヤ取付具１の正面図及び上面図である。
ヘアドライヤ取付具（保持筒）１は、半筒状に構成されており、軸方向に直交する平面で切った断面はＵ字形状をなしている。具体的には、ヘアドライヤ取付具１は、ヘアドライヤ２のハウジング２０の直径よりも若干大きい直径の半円弧断面を有する半円弧部分１ａと、半円弧部分１ａの両端から接線方向に延設され、半円弧部分１ａの半径よりも若干長い直線部分１ｂとを有する。なお、ヘアドライヤ取付具１は、全筒状に構成されてもよい。
【００２０】
ヘアドライヤ取付具１は、軸方向を上下にして板部４３の前面（壁面）に取り付けられている。例えば、図３に示すように、ヘアドライヤ取付具１には、２つの直線部分１ｂのそれぞれの端部の上側に爪部１ｃが設けてあり、板部４３の適宜箇所には、爪部１ｃがそれぞれ掛止する２つの孔４３ａ（図４の下図参照）が設けてある。このような構成において、ヘアドライヤ取付具１の爪部１ｃを板部４３の孔４３ａにそれぞれ掛止させることにより、ヘアドライヤ取付具１が板部４３に取り付けられる。なお、ヘアドライヤ取付具１は、板部４３と一体に形成されてもよいし、また、ビス等で板部４３に取り付けられてもよい。
ヘアドライヤ取付具１の上縁には、中央よりも一端側（図４の上図に示すように、本実施形態１では右端側）の適宜箇所に底が位置するような凹部１０が形成してある。なお凹部１０は、ヘアドライヤ取付具１の上縁において、一端から他端に亘って設けてあってもよいし、ヘアドライヤ取付具１の上縁のうちで半円弧部分１ａの一端から他端に亘って設けてあってもよい。
【００２１】
上述した構成の洗面台において、使用者は、ヘアドライヤ２のハウジング２０を送気口２０ｂを下向きにしてヘアドライヤ取付具１の上側から挿入する。ハウジング２０は、グリップ２１がヘアドライヤ取付具１の上縁に当接するまでヘアドライヤ取付具１に挿入される。吸気口２０ａ及び送気口２０ｂを上下にしてハウジング２０がヘアドライヤ取付具１に挿入されることにより、ヘアドライヤ２がヘアドライヤ取付具１に保持される。
【００２２】
ヘアドライヤ２がヘアドライヤ取付具１に保持された場合、グリップ２１は、ヘアドライヤ取付具１の上縁に設けられた凹部１０に導かれ、凹部１０の底に確実に当接し、当接した状態で安定して支持される。なお、グリップ２１は、凹部１０の上縁を滑って凹部１０の底に導かれるので、グリップ２１の形状によらず、図１に示すような状態で保持される。よって、ヘアドライヤ２は、グリップ２１が凹部１０の底にて支持された状態でヘアドライヤ取付具１に安定して収納される。
【００２３】
本実施形態１では、凹部１０の底が、ヘアドライヤ取付具１の上縁の中央と右端との間に位置するので、図４の下図に示すように、グリップ２１が板部４３の表面に対して４５度程度の角度を有する状態でヘアドライヤ２が保持される。またスイッチ２２は、ハウジング２０の外周面で、グリップ２１の突設部分の近傍に設けてあるので、ヘアドライヤ２がヘアドライヤ取付具１に保持された場合に、正面側に位置する。よって、ヘアドライヤ２がヘアドライヤ取付具１に保持された状態でも、スイッチ２２は、ヘアドライヤ取付具１に遮られず操作可能であり、ヘアドライヤ２からの空気をエアタオルとして使用する場合に利用できる。
【００２４】
本実施形態１では、図１に示すように、グリップ２１が板部４３の表面に対して４５度程度の角度を有する状態でヘアドライヤ２が保持される。よって、ヘアドライヤ２は、グリップ２１に連結された電源コード２１ａを板部４３の表面に沿わせて電源コンセント４５に接続することができるので、グリップ２１が板部４３に対して正面側を向くことがなく、比較的邪魔にならない。なお、凹部１０は、ヘアドライヤ取付具１にヘアドライヤ２が挿入された場合に、グリップ２１及び電源コード２１ａが板部４３に沿った状態となるような形状に形成されればよく、上述の形状に限らない。
【００２５】
本実施形態１では、グリップ２１を下側にしてヘアドライヤ２（ハウジング２０）を送気口２０ｂ側から見た場合に、スイッチ２２が、グリップ２１の突設部分に対して右側に少しずれた箇所に設けてある。また、図４の上図に示すように、ヘアドライヤ取付具１の上縁に設けられた凹部１０が、上縁の中央と右端との間に底が配置されるように形成されている。これにより、ヘアドライヤ取付具１にヘアドライヤ２のハウジング２０を挿入（保持）した場合に、グリップ２１が真正面よりも右側を向き、スイッチ２２が操作可能な状態となる。
【００２６】
なお、グリップ２１を下側にしてヘアドライヤ２（ハウジング２０）を送気口２０ｂ側から見た場合に、スイッチ２２が、グリップ２１の突設部分に対して左側に少しずれた箇所に設けてあるヘアドライヤ２を使用してもよい。この場合、ヘアドライヤ取付具１の上縁の凹部１０を、上縁の中央と左端との間に底が配置されるような形状に形成すればよい。このような構成のヘアドライヤ取付具１にヘアドライヤ２のハウジング２０が挿入された場合、グリップ２１が真正面よりも左側を向いた状態で保持される。また、この場合にも、スイッチ２２は、ヘアドライヤ取付具１に遮られず操作可能となる。
【００２７】
本実施形態１のヘアドライヤ２は、円筒状のハウジング２０を備える構成である。このほかに、ヘアドライヤ２は、楕円筒状又は矩形筒状等の適宜の断面を有する筒状のハウジング２０を備える構成でもよい。よって、ヘアドライヤ取付具１は、使用が想定されるヘアドライヤ２のハウジング２０の挿入が可能な形状に形成されればよい。
【００２８】
（実施形態２）
以下に、実施形態２の洗面台について説明する。図５は、実施形態２の洗面台の外観斜視図である。本実施形態２の洗面台は、上述の実施形態１の洗面台と同様に、脚部４０、洗面ボウル４１、蛇口４２及び板部４３を備える。本実施形態２の洗面台では、板部４３の一端側（図５では右端側）にキャビネット４６が設けてあり、他端側に鏡４４が取り付けてある。また、板部４３の前面の、鏡４４の下側に棚板４７が突設されており、棚板４７の突設端に電源コンセント４５が設けてある。
【００２９】
図６は実施形態２のヘアドライヤ取付具３の外観斜視図であり、ヘアドライヤ取付具３にヘアドライヤ２が収納されている状態を示す。本実施形態２のヘアドライヤ取付具３は、直方体形状の収納筐３０を有し、収納筐３０は、長手方向の一端を蝶番３４でキャビネット４６の側面に取り付けられ、棚板４７の上面に沿って設けてある。収納筐３０にはヘアドライヤ２が収納される。ヘアドライヤ２は、上述の実施形態１で説明したヘアドライヤ２と同様の構成を有する。よって、ヘアドライヤ２の構成については説明を省略する。
【００３０】
収納筐３０は、ヘアドライヤ２のハウジング２０を収納できる大きさに構成されており、収納筐３０の一側面には、ヘアドライヤ２のハウジング２０を挿入するための開口部３０ａが設けてある。収納筐３０は、開口部３０ａが前面に位置するように棚板４７上に載置され、開口部３０ａから挿入されたハウジング２０を軸方向横向きで収納する。
【００３１】
収納筐３０の底板には、蝶番３４の反対側端部の近傍に、下向きに開口する放出口３１が設けてあり、放出口３１の上側には、湾曲面３２が設けてある。スイッチ２２を操作してヘアドライヤ２を動作させると、ハウジング２０の送気口２０ｂから送り出された空気が湾曲面３２に当たって導かれ、放出口３１から下向きに放出される。更に、収納筐３０の開口部３０ａの下縁には、収納筐３０の底板から上向きに突設板３３が突設されている。突設板３３は、収納筐３０の底板の直交方向上向きに設けられてもよいし、上端縁が収納筐３０の外側に向いた状態に設けられてもよい。
【００３２】
図７は、実施形態２の洗面台の外観斜視図であり、ヘアドライヤ２をエアタオルとして使用している場合の状態を示す。本実施形態２の洗面台において、使用者は、図５及び図６に示すように、ヘアドライヤ２のハウジング２０を、送気口２０ｂが放出口３１側に向くように収納筐３０内に挿入する。ハウジング２０が収納筐３０に収納された場合、ハウジング２０及びグリップ２１が開口部３０ａの突設板３３に当接する。これにより、ヘアドライヤ２が自身の重みで落下することを防止でき、ヘアドライヤ２は、ハウジング２０が収納筐３０に収納された状態でヘアドライヤ取付具３に安定して収納される。
【００３３】
使用者は、このような状態でヘアドライヤ取付具３に収納されたヘアドライヤ２からの空気をエアタオルとして使用する場合、蝶番３４を支点として、収納筐３０を引っ張り出す。これにより、図７に示すように、収納筐３０の放出口３１が設けてある側を正面側に引っ張り出し、使用者に近付けることができる。また、図７に示す状態でエアタオルとして使用するので、放出口３１からの空気によって使用者の手等から弾き飛ばされた水滴を、洗面ボウル４１にて確実に受けることができる。なお、開口部３０ａの、放出口３１側の半分程度の領域に蓋を設けてもよく、この場合には、ヘアドライヤ２から送り出される空気をより効率よく使用できる。
【００３４】
本実施形態２のヘアドライヤ取付具３では、ヘアドライヤ２のハウジング２０が収納筐３０に収納された場合に、グリップ２１が収納筐３０の突設板３３に当接する。よって、グリップ２１の突設部分の近傍に設けてあるスイッチ２２が、正面側に配置されるので、操作性がよい。
【００３５】
本実施形態２においても、グリップ２１を下側にしてヘアドライヤ２（ハウジング２０）を送気口２０ｂ側から見た場合に、スイッチ２２が、グリップ２１の突設部分に対して左側に少しずれた箇所に設けてあるヘアドライヤ２を使用してもよい。この場合、収納筐３０の底板の右端側に放出口３１を形成し、放出口３１が対向する隅部分（右側の上の隅）に湾曲面３２を形成すればよい。このような構成においても、ハウジング２０の送気口２０ｂから送り出された空気が、湾曲面３２に沿って放出口３１へ導かれ、放出口３１から下方へ放出できると共に、スイッチ２２を正面側に配置することができる。
【００３６】
図８は、実施形態２の洗面台の変形例の外観斜視図である。図８に示す洗面台は、上述の実施形態２の洗面台において、ヘアドライヤ取付具３を板部４３に取り付ける際の取付方法が異なる。具体的には、図８に示すヘアドライヤ取付具３において、収納筐３０は、蝶番３５を介して板部４３の前面に取り付けられている。図８に示す洗面台においても、使用者は、蝶番３５を支点として、収納筐３０の放出口３１が設けてある側を正面側に引っ張り出すことにより、図７に示す状態と同様の状態にすることができる。なお、図８に示す構成でも、上述の実施形態２の洗面台で得られる効果と同様の効果が得られる。
【００３７】
本発明に係るヘアドライヤ取付具は、一端に吸気口を設け、他端に送気口を設けた筒状のハウジングと、該ハウジングの外周面から外向きに突設された把持部とを備え、前記ハウジングの外周面で、前記把持部の突設部分に対して前記外周面の周方向の近傍に操作部が設けてあるヘアドライヤを壁面に取り付けるためのヘアドライヤ取付具であって、軸方向を上下にして前記壁面に取り付けられ、前記吸気口及び前記送気口を上下にして前記ハウジングを保持する保持筒を備え、該保持筒の上縁の一部に、前記ハウジングを保持した場合に前記把持部が当接する凹部が設けてあることを特徴とする。
【００３８】
本発明によれば、ヘアドライヤの吸気口及び送気口を上下にしてヘアドライヤのハウジングを保持筒にて保持できるので、送気口から下方に送り出される空気をエアタオルとして使用できる。また、保持筒にてハウジングが軸方向を上下にして保持され、保持筒の上縁に設けられた凹部にて把持部が支持されるので、ヘアドライヤが安定して保持される。更に、ハウジングの、把持部の突設部分の近傍に操作部が設けてあるので、保持筒にてヘアドライヤのハウジングを保持した状態で操作部が利用可能となる。
【００３９】
本発明に係るヘアドライヤ取付具は、前記凹部は、前記保持筒の上縁の中央よりも一端側の位置に底を有することを特徴とする。
【００４０】
本発明によれば、保持筒の上縁に設けられる凹部が、上縁の中央よりも一端側の位置に底を有する形状であり、把持部が前記凹部の底に当接した状態でヘアドライヤが保持される。よって、把持部の突設端部を前記一端側に向けることができ、また、把持部に設けられた電源コードを前記一端側に導くことができる。
【００４１】
本発明に係るヘアドライヤ取付具は、一端に吸気口を設け、他端に送気口を設けた筒状のハウジングと、該ハウジングの外周面から外向きに突設された把持部とを備え、前記ハウジングの外周面で、前記把持部の突設部分に対して前記外周面の周方向の近傍に操作部が設けてあるヘアドライヤを壁面に取り付けるためのヘアドライヤ取付具であって、長手方向を横向きにして前記壁面に取り付けられ、前記ハウジングを軸方向横向きに収納する直方体形状の収納筐を備え、該収納筐は、収納されたハウジングの前記送気口から送り出された空気を下向きに放出する放出口と、内周面のうちで、前記放出口が対向する箇所に設けられ、前記送気口から送り出された空気を前記放出口へ導く湾曲面とを有することを特徴とする。
【００４２】
本発明によれば、収納筐にハウジングが収納されたヘアドライヤの送気口から送り出された空気が下向きに放出されるので、エアタオルとして使用できる。また、収納筐の内面が、ヘアドライヤの送気口からの空気を放出口へ導く湾曲面となっているので、送気口からの空気を効率よく外へ放出できる。更に、ハウジングの、把持部の突設部分の近傍に操作部が設けられているので、ハウジングを軸方向横向きに収納筐に収納した場合に、操作部が正面側に配置され、操作性がよい。
【００４３】
本発明に係るヘアドライヤ取付具は、前記収納筐の前記放出口に対して前記長手方向の反対側の端部が蝶番で前記壁面に取り付けられていることを特徴とする。
【００４４】
本発明によれば、収納筐の放出口側の端部を、蝶番を支点として壁面から引っ張り出すことができるので、ヘアドライヤから送り出される空気をエアタオルとして使用する際の利便性が向上する。また、ヘアドライヤを使用しない場合に、収納筐の放出口側の端部を壁面側に戻しておくことにより、収納筐をヘアドライヤの収納場所に利用できる。
【００４５】
本発明に係るヘアドライヤ取付具は、前記収納筐の一側面に、前記ハウジングを挿入するための開口部が設けてあり、該開口部の下縁から、前記収納筐に収納されたハウジングの落下を防止する突設板が突設されていることを特徴とする。
【００４６】
本発明によれば、ヘアドライヤのハウジングを開口部から収納筐に収納するので、収納筐へのヘアドライヤの収納が容易である。また、ハウジングを収納筐に収納した場合に、開口部の下縁に設けられた突設板に、ヘアドライヤのハウジング及び把持部が当接するので、ヘアドライヤが落下することを防止でき、ヘアドライヤを安定して保持できる。
【００４７】
本発明に係る洗面台は、その表面を前記壁面として、上述のいずれかのヘアドライヤ取付具が取り付けられていることを特徴とする。
本発明によれば、上述したようにヘアドライヤの装着及び収納が可能な洗面台を提供することができる。
【００４８】
本発明に係るヘアドライヤは、一端に吸気口を設け、他端に送気口を設けた筒状のハウジングと、該ハウジングの外周面から外向きに突設された把持部とを備えるヘアドライヤにおいて、前記ハウジングの外周面で、前記把持部の突設部分に対して前記外周面の周方向の近傍に操作部が設けてあることを特徴とする。
本発明によれば、上述したようにヘアドライヤ取付具にて壁面に取り付け可能であり、壁面に取り付けられた場合に操作部の操作が可能なヘアドライヤを提供することができる。
【００４９】
以上、本発明の好適な実施形態についてそれぞれ具体的に説明したが、各構成及び動作などは適宜変更可能であって、上述の実施形態に限定されることはない。
【符号の説明】
【００５０】
１  ヘアドライヤ取付具（保持筒）
２  ヘアドライヤ
３  ヘアドライヤ取付具
１０  凹部
２０  ハウジング
２０ａ  吸気口
２０ｂ  送気口
２１  グリップ（把持部）
２２  スイッチ（操作部）
３０  収納筐
３０ａ  開口部
３１  放出口
３２  湾曲面
３３  突設板
３４  蝶番
【図１】
2014110852.tif 000003
【図２】
2014110852.tif 000004
【図３】
2014110852.tif 000005
【図４】
2014110852.tif 000006
【図５】
2014110852.tif 000007
【図６】
2014110852.tif 000008
【図７】
2014110852.tif 000009
【図８】
2014110852.tif 000010